(57)【要約】【課題】簡単な構造で、既設の分電盤の内機の取り替えの際に、元のボルトに対して水平方向、垂直方向、斜め方向など、不規則な位置にも内機が取り付け可能である分電盤の内機取り付け構造を提供することを目的としている。【解決手段】基台にレールを固定するための固定金具を設け、固定金具には内機を固定するためのボルトが立設され、レールはアダプタを介してボルトにナットにより締め付けることで基台に固定し、アダプタには複数の直線形や、弧状の切り欠きを形成し、切り欠きの任意の位置にボルトを挿通しナットで締め付け固定することを特徴とする。【選択図】図１
2007074850.tif 000002
【特許請求の範囲】
【請求項１】
レールに各種電気機器を載置した機器取り付け板等を取り付けて構成される内機を基台に収納して成る分電盤の内機取り付け構造であって、前記基台に固定金具を設け、該固定金具には第一のボルトが立設され、該第一のボルトには、複数の直線形や、弧状の切り欠きを形成したアダプタを第一のナットを挿通し締め付け固定すると共に、前記レールには、前記機器取り付け板の取り付け穴と、前記基台に固定するための固定部とが設けられ、前記固定部の位置に対向させて前記アダプタの切り欠きに第二のボルトを第二のナットで締め付け設け、前記第二のボルトに前記レールの固定部を対向させ、第三のナットで締め付け、前記内機を前記基台に固定することを特徴とする電気機器収納用箱体の内機取り付け構造。
【発明の詳細な説明】
【技術分野】
【０００１】
本発明は、レールに各種電気機器を載置した機器取り付け板等を取り付けて構成される内機を基台に収納して成る分電盤の内機取り付け構造に関するものである。
【背景技術】
【０００２】
従来の電気機器収納用箱体の内機取り付け構造は、図５〜図６に示すように、基台３１に設けた固定金具３２に立設したボルト３３にレール３４を固定し、レール３４に電気機器を載置した機器取り付け板３５を取り付けていた。店舗や事務所に設置された分電盤をリニューアルに合わせて回路構成等の変更を行う場合、キャビネットはそのまま用いて内機のみを変更することがある。そうした場合、現在製造しているものと既設の分電盤とでは取り付けのピッチが異なっていてそのままでは取り付けられないことがある。
【０００３】
既設の分電盤のキャビネットはそのままで内機のみを変更する場合、内機３６をアダプタ３７を介してキャビネットに取り付けていた。アダプタ３７には複数の固定穴３８が設けられており、任意の固定穴３８を選択することでボルト３９とレール４０とを固定していた。
【特許文献１】特許第３３４８４１５号
【発明の開示】
【発明が解決しようとする課題】
【０００４】
しかしながら上記従来技術によれば、アダプタでは、レールの幅を変更させることは可能であるが、水平方向や垂直方向、斜め方向などの不規則な取り付け位置には対応できないという欠点があった。
【課題を解決するための手段】
【０００５】
そこで本発明は、簡単な構造で、既設の分電盤の内機の取り替えの際に、元のボルトに対して水平方向、垂直方向、斜め方向など、不規則な位置にも内機が取り付け可能である分電盤の内機取り付け構造を提供することを目的とし、その構造は、基台に固定金具を設け、固定金具には第一のボルトが立設され、第一のボルトには、複数の直線形や、弧状の切り欠きを形成したアダプタを第一のナットを挿通し締め付け固定すると共に、レールには、機器取り付け板の取り付け穴と、基台に固定するための固定部とが設けられ、固定部の位置に対向させてアダプタの切り欠きに第二のボルトを第二のナットで締め付け設け、第二のボルトにレールの固定部を対向させ、第三のナットで締め付け、内機を基台に固定することを特徴とする。
【発明の効果】
【０００６】
本発明に係る分電盤の内機取り付け構造は、基台に固定金具を設け、固定金具には第一のボルトが立設され、第一のボルトには、複数の直線形や、弧状の切り欠きを形成したアダプタを第一のナットを挿通し締め付け固定すると共に、レールには、機器取り付け板の取り付け穴と、基台に固定するための固定部とが設けられ、固定部の位置に対向させてアダプタの切り欠きに第二のボルトを第二のナットで締め付け設け、第二のボルトにレールの固定部を対向させ、第三のナットで締め付け、内機を基台に固定するため、内機の取り付け寸法とキャビネットの少なくとも四隅に設けられたボルトの取り付け寸法とが異なる場合に、このアダプタでは、垂直、水平、斜め方向いずれにも取り付け位置を移動させることができ、固定可能である。アダプタは直線形や弧状の切り欠きが形成されるため、仮固定をした後、最終の位置固定が容易にできる。また、既設のキャビネットに内機を取り付けるための固定金具の位置を特定する作業を詳細に行う必要があり、何度も現場で確認作業をしていたのを省略でき、ある程度の寸法がわかれば取り付けが可能になる。
【発明を実施するための最良の形態】
【０００７】
切り欠きの範囲内においてレールの取り付け位置が変更できるので、既設の分電盤の内機の変更するときに既設の分電盤の内機を取り付けるためのボルトの位置に合わない内機を簡単に取り付けるという目的を、最小の部品点数で、作業性を損なわずに実現した。
【実施例１】
【０００８】
本発明に係る分電盤の内機取り付け構造を図１〜図２の添付図面に基づいて説明する。
【０００９】
分電盤１は基台２に内機３を取り付けて構成される。分電盤１の基台２には固定金具４が設けられる。固定金具４には、第一のボルト５を立設し、レール３ａに各種電気機器を載置した機器取り付け板３ｂを取り付けて構成された内機３は、固定金具４に固定される。
【００１０】
店舗や事務所等に設けられた分電盤１は、店舗や事務所がリニューアルされるとそれに伴って回路構成の変更が行われる。近年は、キャビネットは既設のものをそのまま用い、内機３のみを交換する場合が多い。ところが、現在製造されている分電盤とは寸法が異なっており、現在の分電盤の使用で製造される内機では既設の分電盤に取り付けるためにはアダプタが必要である。
【００１１】
アダプタ６には平行に配列された直線形の切り欠き７ａや、弧状の切り欠き７ｂ等を設ける。切り欠き７の任意の位置に基台２に設けられた第一のボルト５をアダプタ６の切り欠き７に挿通し、第一のナット８で締め付け、アダプタ６を基台２に固定する。レール３ａには、機器取り付け板３ｂを取り付けるための取り付け穴３ｃと基台２に固定するための固定部３ｄが設けられる。また、レール３ａの固定部３ｄに対向する位置に第二のボルト９を挿通し、第二のナット１０で締め付け、アダプタ７に第二のボルト９を固定する。レール３ａの固定部３ｄを第二のボルト９に合わせて、第三のナット１１で締め付け、アダプタ７にレール３ａを固定する。
【００１２】
アダプタ７に設けられた切り欠き８の範囲内において、アダプタ７の固定位置と、レール３ａの固定位置とを任意に変更できる。図２に示すように、既設の分電盤に設けられている固定金具４の位置と、現在製造されている分電盤に設けられているボルトの位置に合わせて製作された内機のレール３ａの幅が異なっていても、アダプタ７により幅広く取り付けが可能である。
【実施例２】
【００１３】
アダプタ１２に設けられる切り欠き１３は、数、形状を図１のものに限定するものではなく、図３に示すように、切り欠き１３を直交させたり、本発明の趣旨を逸脱しない範囲において適宜変更可能である。
【実施例３】
【００１４】
アダプタ１４は、図４に示すように、端部をそれぞれ折曲して折曲部１５を形成し、強度を増すことができる。
【産業上の利用可能性】
【００１５】
切り欠きを設けたアダプタを介して内機を基台に取り付けることで、切り欠きの範囲内において内機を構成するレールを任意の位置で固定可能であり、水平方向、垂直方向、斜め方向など内機取り付け金具の位置に対してレールの固定位置を変更することができる。
【図面の簡単な説明】
【００１６】
【図１】本発明に係る分電盤の内機取り付け構造を示す説明図である。（実施例１）
【図２】本発明に係る分電盤の内機取り付け構造を示す説明図である。（実施例１）
【図３】本発明に係る分電盤の内機取り付け構造におけるアダプタを示す説明図である。（実施例２）
【図４】本発明に係る分電盤の内機取り付け構造におけるアダプタを示す説明図である。（実施例３）
【図５】従来の分電盤の内機取り付け構造を示す説明図である。
【図６】従来の分電盤の内機取り付け構造を示す説明図である。
【符号の説明】
【００１７】
１    分電盤
２    基台
３    内機
３ａ  レール
３ｂ  機器取り付け板
３ｃ  取り付け穴
３ｄ  固定部
４    固定金具
５    第一のボルト
６    アダプタ
７    切り欠き
７ａ  直線形の切り欠き
７ｂ  弧状の切り欠き
８    第一のナット
９    第二のボルト
１０  第二のナット
１１  第三のナット
１２  アダプタ
１３  切り欠き
１４  アダプタ
１５  折曲部
【図１】
2007074850.tif 000003
【図２】
2007074850.tif 000004
【図３】
2007074850.tif 000005
【図４】
2007074850.tif 000006
【図５】
2007074850.tif 000007
【図６】
2007074850.tif 000008